(57)【要約】  【課題】  液体が満たされたセル状領域中で、電界の作用により移動板を移動させて画像を表示する表示装置において、視野角を改善し、斜め方向から観察したときの視認性を向上させる。  【解決手段】  セル状領域１５内に透明液体２０Ｍおよび有色移動板３０を封入する区画壁１０の側方部分１３の表面を光反射面とし、セル状領域１５内に入射する光を当該光反射面で反射させ、表示方向（図中矢印Ｚ方向）に対して斜めの方向への光量を増加させる。【選択図】          図１
2005173140.tif 000002
【特許請求の範囲】
【請求項１】
表示方向と直交する面に沿って配設された複数のセル状領域と、
前記各セル状領域を満たす透明液体と、
前記各セル状領域のそれぞれを取り囲む、少なくとも表示側部分が透明な区画壁と、
前記各セル状領域内に配置された、各セル状領域内を移動可能な有色移動板と、
前記有色移動板に作用する電界を形成するとともに、該電界を変化させて、前記有色移動板を、主面が前記表示方向と交わる第１の位置、および、主面が前記表示方向と略平行となる第２の位置に位置させる電界形成手段とを備え、
前記区画壁の側方部分の表面が、光反射面であることを特徴とする表示装置。
【請求項２】
表示方向と直交する面に沿って配設された複数のセル状領域と、
前記各セル状領域を満たす透明液体と、
前記各セル状領域のそれぞれを取り囲む、少なくとも表示側部分が透明な区画壁と、
前記各セル状領域内に配置された、各セル状領域内を移動可能な有色移動板と、
前記有色移動板に作用する電界を形成するとともに、該電界を変化させて、前記有色移動板を、主面が前記表示方向と交わる第１の位置、および、主面が前記表示方向と略平行となる第２の位置に位置させる電界形成手段とを備え、
前記有色移動板の前記主面の少なくとも一部が、光反射面であることを特徴とする表示装置。
【発明の詳細な説明】
【技術分野】
【０００１】
本発明は表示装置に関し、詳しくは、液体中を移動可能な移動体を電界の作用により移動させて形成した画像を表示する表示装置に関するものである。
【背景技術】
【０００２】
従来より、液体中を移動可能な移動体を電界の作用により移動させて形成した画像を表示する表示装置が知られている。反射型の表示装置としては、例えば、多数の微粒子を含む液体を内包した多数のマイクロカプセルを２次元状に配列して各マイクロカプセル毎に個別に電界を作用させるようにし、白色を表示するときにはマイクロカプセル中の微粒子を電界の作用により表示側に移動させ、黒色を表示するときにはマイクロカプセル中の微粒子に電界を作用させることなくこれらの微粒子をランダムに分散させるものが知られている（特許文献１参照）。また、透過型の表示装置としては、例えば、対向する２枚の透明基板の間の領域を、上記対向する方向と直交する面内における互いに異なる複数の領域に対応する部分領域に区分する隔壁を備え、各部分領域を満たす透明液体中に分散された多数の微粒子を電界の作用により移動させて画像の表示を行う表示装置が知られている（特許文献２参照）。
【特許文献１】特開２０００−６６２４７号公報
【特許文献２】特開平０８−１９０３５１号公報
【発明の開示】
【発明が解決しようとする課題】
【０００３】
しかしながら、上記表示装置のように、１画素における表示を多数の微粒子を用いて行うと、例えば、上記反射型の表示装置においては、１画素に対応する上記マイクロカプセルに入射した照明光を多数の微粒子で反射して白色を表示させるときに、微粒子間の隙間に入射した光、あるいは微粒子に対して浅い角度で入射した光は表示側に反射されることなく上記白色の表示には用いられないため、表示される白色と黒色のコントラスト比が低下することがある。また、例えば、上記透過型の表示装置においては、１画素に対応する上記部分領域に入射した照明光を多数の微粒子で遮断して黒色を表示させるときに、対向する方向と直交する方向に平面的に配置された多数の微粒子で光を遮断するが、上記平面的に配置された各微粒子間の隙間から光が漏れて、上記と同様に白色と黒色のコントラスト比が低下することがある。
【０００４】
そこで、表示におけるコントラスト比を高めることができる表示装置として、各セルに封入された透明液体中で移動板（光の吸収、反射、遮光等を可能とするもの）を移動させることにより、セルに入射した光の波長や光量等を制御する表示装置が本出願人により検討されている。
【０００５】
この表示装置は、表示面に沿って配設された複数のセル状領域を区分する区画壁を備え、各セル状領域を満たす透明液体中に配置された有色移動板を電界の作用により移動させて画像の表示を行うものであり、有色移動板で光を反射するときの光の吸収、あるいは有色移動板で光を遮断するときの光の漏れを抑制することができ消光比を大きくすることができるので、表示におけるコントラスト比を高めることができる。また、開口率が高く光利用効率が高いという利点もあり、この利点を活かして、光透過のオン・オフを行う光シャッターに適用することもできる。
【０００６】
ところが、上記検討中の移動板を用いた表示装置では、視野角、視認性について改善の余地が残されている。例えば、図５（１）に示すように、区画壁１０により取り囲まれたセル状領域１５内の有色移動板３０を表示方向（図中矢印Ｚ方向）と直角となる位置にして、照明装置５１からセル状領域１５内に入射する白色光Ｌｖを遮断する場合、すなわち、黒表示に相当する場合に、表示装置を表示方向と非平行な方向（斜め方向）から観察しても、黒表示はそのまま黒表示と認識されるが、図５（２）に示すように、有色移動板３０を表示方向と平行となる位置にして、照明装置５１からセル状領域１５内に入射する白色光Ｌｖを透過させる場合、すなわち、白表示に相当する場合に、表示装置を表示方向と非平行な方向（斜め方向）から観察すると、有色移動板３０や区画壁の側方部分１３を直接観察することとなり、白表示時であっても黒表示と誤認識される場合がある。これについて別の見方をすれば、照明装置５１から射出された白色光Ｌｖは、有色移動板３０や側方部分１３で吸収され、斜め方向に対して十分な光量が得られないと言うことができる（図６参照）。
【０００７】
このようなことから、上記検討中の表示装置では、視野角が狭く、斜め方向から観察したときの視認性が悪いという問題がある。
【０００８】
本発明は、上記事情に鑑み、液体中を移動可能な有色移動体を電界の作用により移動させて形成した画像を表示する表示装置であって、視野角をより広くし、斜め方向から観察したときの視認性が改善された表示装置を提供することを目的とするものである。
【課題を解決するための手段】
【０００９】
本発明の第１の表示装置は、表示方向と直交する面に沿って配設された複数のセル状領域と、各セル状領域を満たす透明液体と、各セル状領域のそれぞれを取り囲む、少なくとも表示側部分が透明な区画壁と、各セル状領域内に配置された、各セル状領域内を移動可能な有色移動板と、有色移動板に作用する電界を形成するとともに、当該電界を変化させて、有色移動板を、主面が上記表示方向と交わる第１の位置、および、主面が上記表示方向と略平行となる第２の位置に位置させる電界形成手段とを備え、上記区画壁の側方部分の表面が、光反射面であることを特徴とするものである。
【００１０】
また、本発明の第２の表示装置は、表示方向と直交する面に沿って配設された複数のセル状領域と、各セル状領域を満たす透明液体と、各セル状領域のそれぞれを取り囲む、少なくとも表示側部分が透明な区画壁と、各セル状領域内に配置された、各セル状領域内を移動可能な有色移動板と、有色移動板に作用する電界を形成するとともに、当該電界を変化させて、有色移動板を、主面が上記表示方向と交わる第１の位置、および、主面が上記表示方向と略平行となる第２の位置に位置させる電界形成手段とを備え、有色移動板の主面の少なくとも一部が、光反射面であることを特徴とするものである。
【００１１】
ここで、「表示方向」とは、表示がなされる表示面に直角な方向を意味する。
【００１２】
また、「セル状領域」とは、立方体、直方体、円柱や多角柱等の形状に代表されるセル状の立体的な領域を意味し、各セル状領域は互いに接して配設されていてもよいし、互いに離れて配設されていてもよい。
【００１３】
また、「透明液体」とは、光透過性を有する液体を意味するものであり、無色透明な液体に限定されないが、画像表示において高輝度や高コントラスト比を得るためには、透明度の高いものが好ましい。
【００１４】
また、「区画壁」とは、各セル状領域を立体的に取り囲むように設けられる壁を意味するものであり、セル状領域を透明液体で満たすことができ、有色移動板をセル状領域内に配置することが可能なものであればいかなる構造のものであってもよい。例えば、壁全体が連続したものであってもよいし、壁の少なくとも一部が不連続、例えば、網目構造なっているものであってもよい。
【００１５】
区画壁の「表示側」とは、画像が表示される側を意味する。
【００１６】
区画壁の「側方部分」とは、区画壁を構成する壁のうち、表示方向に略平行な方向に伸びる壁を意味する。
【００１７】
「有色移動板」は、有色の板であって、電界からの作用を受けて移動可能なものであり、例えば、炭素板等が考えられる。また、「有色移動板」は、セル状領域毎に複数配置されていてもよく、例えば、２枚扉のような形態（いわゆる観音開き）でもよい。
【００１８】
なお、「有色移動板」は、セル状領域内において、回転可能に支持されていてもよい。
【００１９】
また、「回転可能」とは、一回転できる状態のみを意味するものではなく、回転軸を中心に所定の角度範囲で移動できる、いわゆる回動可能な状態を含む意味である。
【００２０】
また、「主面」とは、有色移動板の厚さ方向と直交する面を意味する。
【００２１】
「電界形成手段」は、直流電界を形成するものであってもよいし、交流電界を形成するものであってもよいが、透明液体の電界による電気分解を抑制する上では、電界が一方向に連続的に形成されない交流電界の方が好ましい。
【００２２】
電界形成手段により電界が形成されると、有色移動板は、セル状領域内の透明液体と有色移動板とを含む系における静電エネルギーが最小となる、最も安定した姿勢をとろうとして、その主面を電界の方向と平行な方向に向けようとする。この現象を利用して、有色移動板の回転位置を制御することができる。なお、有色移動板の姿勢の違いによって上記静電エネルギーが変化するようにするためには、有色移動板の誘電率と透明液体の誘電率とが異なっている必要があり、有色移動板の誘電率と透明液体の誘電率との差が大きいほど、有色移動板に働く力が大きく、回転しやすくなる。
【００２３】
「電界形成手段」としては、例えば、各有色移動板を、初期位置が第１の位置となるように、表示方向と直角な方向（表示面と平行な方向）に電界を形成する第１の電界形成手段と、初期位置にある有色移動板を第２の位置へと変化させるための、表示方向と平行な方向に電界を形成する第２の電界形成手段とからなるものを考えることができる。第１の電界形成手段としては、例えば、全セル状領域を表示面と平行な方向に挟み込むようにして設けた電極に直流電圧または交流電圧を印加する装置を用いることができ、また、第２の電界形成手段としては、例えば、各セル状領域毎に、表示側と背面側に透明電極を設け、この対向する電極間に直流電圧または交流電圧をそれぞれ印加する駆動装置とを用いることができる。ここで、「表示側」とは、画像が表示される側を意味し、「背面側」とは、セル状領域を挟んで上記「表示側」と反対方向の側を意味する。
【００２４】
なお、上記駆動装置の駆動方式は、パッシブ駆動であってもよいし、薄型トランジスタ（ＴＦＴ）を用いたアクティブ駆動であってもよい。
【００２５】
「光反射面」は、白色光または波長５５０ｎｍの光に対する反射率が１０％以上のものとすることができるが、その反射率が５０％以上のものがより好ましい。「光反射面」としては、例えば、金属コーティング等を施したものが考えられる。なお、この「反射」は、鏡面反射であってもよいし、拡散反射であってもよい。
【００２６】
なお、複数のセル状領域に対して略一様に白色の照明光を照射する照明装置（バックライト等）をセル状領域の背面側にさらに設け、高輝度が得られる光透過型の表示装置としたり、また、複数のセル状領域に対して入射した光を反射させる反射板（白色拡散体等）をセル状領域の背面側にさらに設け、表示側からの照射光や自然光を用いて輝度が得られる光反射型の表示装置としたりすることができる。
【００２７】
また、有色移動板が表示方向と交わる上記第１の位置に位置するときに、上記入射した光が有色移動板と区画壁の側方部分との隙間から漏れないように、その隙間を覆うように区画壁の表示側または背面側にマスクを設けるようにしてもよい。
【００２８】
なお、本発明の表示装置では、１つのセル状領域を１つの画素に対応させて表示するようにしてもよいし、複数のセル状領域を１つの画素に対応させて表示するようにしてもよい。
【００２９】
また、本発明の表示装置は、透過光をオン・オフする光シャッターとしても用いることができる。
【００３０】
区画壁の表示側および背面側を形成するための基板材料としては、ガラス基板のほか、ポリマー基板などを用いることができる。
【００３１】
電極としては、ＩＴＯ、Ｉｎ２Ｏ３、ＳｎＯ２、ＺｎＯなどの透明電極を用いることができる。また、反射型の表示装置とするときは、背面側の電極にＡｌ、Ｔｉ、Ｐｔ、Ｃｒ、Ｔａ、Ｃｕなどあるいはそれらの合金材料である金属電極を用いることも可能である。
【００３２】
電極の表面に施す絶縁コーティングは行わなくても構わないが、有色移動板やマスクの材料に導電性がある場合には、行った方が好ましい。
【００３３】
有色移動板の横からの漏れ光を遮蔽するために用いるマスクは無くても構わないが、より黒い黒輝度を実現するためには、表示側から見た際に、有色移動板の外周部分がマスクによって覆われている方が好ましい。
【００３４】
区画壁の側方部分の材料は、金属材料であってもよいし絶縁材料であってもよいが、パターン化形成を容易に行うことができるドライフィルムレジストであることが好ましい。
【００３５】
有色移動板の材料は、光透過率１０％以下であることが好ましく、高いコントラストを実現するためには１％以下であることが好ましい。有色移動板のサイズは、１画素のサイズと同等かそれ以下であることが好ましい。
【００３６】
透明液体は、有色移動板の移動が制限されないように、粘度１００ｃｐｓ以下が好ましく、また、沸点が１００℃以上、３０℃での蒸気圧が０．１５ａｔｍ以下であることが好ましい。さらに、電界によって電気分解され難い材料であることが好ましい。
【発明の効果】
【００３７】
本発明の第１の表示装置によれば、区画壁により取り囲まれたセル状領域の各々において、当該セル状領域を満たす液体中で、有色移動板を電界の作用によって移動させ、セル状領域内に入射する光の透過率を制御することにより画像を表示する表示装置において、区画壁の側方部分の表面を光反射面としているので、有色移動板を表示方向と平行な第２の位置に位置するようにして、いわゆる白表示を行う場合に、上記光が区画壁の側方部分の光反射面によって反射され、表示方向と非平行な方向への光量を増加させることができ、これにより、視野角が改善され、斜め方向から観察したときの視認性を向上させることができる。
【００３８】
本発明の第２の表示装置によれば、区画壁により取り囲まれたセル状領域の各々において、当該セル状領域を満たす液体中で、有色移動板を電界の作用によって移動させ、セル状領域内に入射する光の透過率を制御することにより画像を表示する表示装置において、有色移動板の主面の少なくとも一部を光反射面としているので、有色移動板を表示方向と平行な第２の位置に位置するようにして、いわゆる白表示を行う場合に、上記光が有色移動板の光反射面によって反射され、表示方向と非平行な方向への光量を増加させることができ、これにより、視野角が改善され、斜め方向から観察したときの視認性を向上させることができる。
【発明を実施するための最良の形態】
【００３９】
以下、本発明の実施の形態について、図面を用いて説明する。図１は本発明の第１の表示装置の一実施形態（第１の実施形態）による表示装置の概略構成を示す斜視図であり、図２はその側面図（図１中矢印Ｆ方向から見た図）である。
【００４０】
図１に示す本発明の第１の実施形態による表示装置１０１は、表示方向（図中矢印Ｚ方向）と直交する面に沿って配設された複数のセル状領域１５ａ、１５ｂ、１５ｃ…（以後、複数のセル状領域１５ａ、１５ｂ…をまとめてセル状領域１５ともいう）と、各セル状領域１５を満たす透明液体２０Ｍと、各セル状領域１５のそれぞれを取り囲む区画壁１０と、各セル状領域１５内に配置された、各セル状領域１５内を移動可能な有色移動板３０ａ、３０ｂ、…（以後、有色移動板３０ａ、３０ｂ、…をまとめて有色移動板３０ともいう）と、有色移動板３０に作用する電界を形成するとともに、当該電界を変化させて、有色移動板３０を、その主面が表示方向と交わる第１の位置（本実施形態では、表示方向と直角となる位置）、および、表示方向と略平行な第２の位置に位置させる電界形成手段４１とを備えている。
【００４１】
セル状領域１５のそれぞれは、表示側部分と背面側部分が透明である区画壁１０により取り囲まれている。
【００４２】
区画壁１０は、セル状領域１５の表示側（図中矢印Ｃ１で示す）に位置する無色透明な表示側部分１１と、セル状領域１５の背面側（図中矢印Ｃ２で示す）に位置する無色透明な背面側部分１２と、セル状領域１５の側面側（図中矢印Ｃ３で示す）に位置する不透明な側方部分１３とで構成されている。なお、区画壁１０の側方部分１３の表面には金属コーティングｒが施されており、側方部分１３の表面は光反射面となっている。
【００４３】
有色移動板３０は、不透明であり、この有色移動板３０は、酸化珪素（ＳｉＯ２）、酸化チタン（ＴｉＯ２）等の誘電体、アルミニウム（Ａｌ）、チタン（Ｔｉ）、クロム（Ｃｒ）等の金属、あるいは炭素板やポリマー材料等で形成されたものが用いられており、これらの材料のうち透明なものは着色を施して不透明化して用いる。不透明なものはそのまま用いてもよいが、着色して用いるようにしてもよい。なお、ここでは、有色移動板３０は黒色に着色されている。
【００４４】
また、各有色移動板３０が第１の位置に位置するときの、有色移動板３０の表示方向から見たときの形状と、セル状領域１５の表示方向から見たときの形状とは略一致するようになっている。
【００４５】
電界形成手段４１は、有色移動板３０を、第１の位置に保持するための、表示方向と直角な方向の第１の電界を常に同じ強度で形成する第１の電界形成手段（図示せず）と、有色移動板３０を、第１の位置から第２の位置に変化させるための、表示方向と平行な方向の第２の電界を形成する第２の電界形成手段とを備えている。第２の電界形成手段は、表示側部分１１に配置された表示側電極４０１と背面側部分１２に配置された背面電極４０２と、表示側電極４０１と背面電極４０２とに接続して、これらの電極間に交流電圧を印加することにより、第２の電界としての交流電界を形成する交流電源とからなり、この交流電源が印加する交流電圧を制御することにより、第２の電界の強度を制御することができる。
【００４６】
透明液体２０Ｍは、シリコンオイル、またはシランカプリング材等の無色透明な液体が用いられる。
【００４７】
有色移動板３０は、前述の通り、透明液体２０Ｍと有色移動板３０とを含む系における静電エネルギーが最小となる、最も安定した姿勢をとろうとして、その主面を電界の方向と平行な方向に向けようとする。したがって、第１の電界形成手段により第１の電界が形成された状態において、表示側電極４０１と背面電極４０２との間に交流電圧が印加されず、第２の電界が形成されていないときには、有色移動板３０は、第１の電界からの作用により第１の位置に位置し、表示側電極４０１と背面電極４０２との間に交流電圧が印加され、第２の電界が形成されたときには、有色移動板３０は、第１の電界と第２の電界との合成電界からの作用により、主面が当該合成電界の方向と同じ方向となるような位置に位置する。そして、表示側電極４０１と背面電極との間に印加される交流電圧が所定値を超え、第２の電界により作用する力が第１の電界により作用する力を大きく上回り、第１の電界により作用する力が無視できる程度になると、有色移動板３０は、第２の位置に位置することになる。
【００４８】
例えば、セル状領域１５ａ中の有色移動板３０ａの場合、第１の電界が形成された状態において、表示側電極４０１ａと背面電極４０２ａとの間には電圧が印加されておらず（Ｖａ＝０Ｖ）、第１の位置に位置している。また、セル状領域１５ｂ中の有色移動板３０ｂの場合、第１の電界が形成された状態において、表示側電極４０１ｂと背面電極４０２ｂとの間に所定値を超えた交流電圧Ｖｂが印加されて交流電界Ｅｂが形成され、第２の電界により有色移動板３０ｂに作用する力が、第１の電界により有色移動板３０ｂに作用する力を大きく上回り、第１の電界により作用する力が無視できる程度になり、第２の位置に位置する。
【００４９】
したがって、表示側（図中矢印Ｃ１で示す）からの白色光Ｌｗの照明（反射照明）による表示側からの観察によれば、セル状領域１５ａにおいては、有色移動板３０ａが観察され、セル状領域１５ｂにおいては、背面側部分１２が観察される。
【００５０】
ここで、背面側部分１２は透明なので、背面側部分１２の背面側（図中矢印Ｃ２で示す）に照明光Ｌｖを照射する照明装置５１を配置することにより、セル状領域１５ａにおいては、有色移動板３０ａの黒色が視認され、セル状領域１５ｂにおいては、透明な背面側部分１２を通して照明光Ｌｖの白色が視認される。
【００５１】
このとき、図２中のセル状領域１５ｂのように、有色移動板３０ｂを表示方向と平行な第２の位置にして、いわゆる白表示を行う場合に、上記光が側方部分１３の光反射面としての金属コーティングｒによって反射され、表示方向と非平行な方向への光量が増加する。
【００５２】
上記のように、表示装置１０１によれば、いわゆる白表示を行う場合に、表示方向と非平行な方向への光量が増加するので、視野角が改善され、斜め方向から観察したときの視認性を向上させることができる。
【００５３】
なお、上記照明装置５１の代わりに反射板（白色拡散体等）を設置し、光反射型の表示装置とした場合においても、同様の効果が得られる。
【００５４】
図３に本発明の第２の表示装置の一実施形態（第２の実施形態）による表示装置１０２を示す。なお、上記図１中の要素と同様の要素には同じ番号を付し、それらの説明は省略する。
【００５５】
図３に示す本発明の第２の実施形態による表示装置１０２では、有色移動板３０の主面の少なくとも一部としての有色移動板３０の両面に、金属コーティングｒが施されており、その両面が光反射面となっている。
【００５６】
有色移動板３０は、前述の通り、透明液体２０Ｍと有色移動板３０とを含む系における静電エネルギーが最小となる、最も安定した姿勢をとろうとして、その主面を電界の方向と平行な方向に向けようとする。したがって、第１の電界形成手段により第１の電界が形成された状態において、表示側電極４０１と背面電極４０２との間に交流電圧が印加されず、第２の電界が形成されていないときには、有色移動板３０は、第１の電界からの作用により第１の位置に位置し、表示側電極４０１と背面電極４０２との間に交流電圧が印加され、第２の電界が形成されたときには、有色移動板３０は、第１の電界と第２の電界との合成電界からの作用により、主面が当該合成電界の方向と同じ方向となるような位置に位置する。そして、表示側電極４０１と背面電極との間に印加される交流電圧が所定値を超え、第２の電界により作用する力が第１の電界により作用する力を大きく上回り、第１の電界により作用する力が無視できる程度になると、有色移動板３０は、第２の位置に位置することになる。
【００５７】
例えば、セル状領域１５ａ中の有色移動板３０ａの場合、第１の電界が形成された状態において、表示側電極４０１ａと背面電極４０２ａとの間には電圧が印加されておらず（Ｖａ＝０Ｖ）、第１の位置に位置している。また、セル状領域１５ｂ中の有色移動板３０ｂの場合、第１の電界が形成された状態において、表示側電極４０１ｂと背面電極４０２ｂとの間に所定値を超えた交流電圧Ｖｂが印加されて交流電界Ｅｂが形成され、第２の電界により有色移動板３０ｂに作用する力が、第１の電界により有色移動板３０ｂに作用する力を大きく上回り、第１の電界により作用する力が無視できる程度になり、第２の位置に位置する。
【００５８】
したがって、表示側（図中矢印Ｃ１で示す）からの白色光Ｌｗの照明（反射照明）による表示側からの観察によれば、セル状領域１５ａにおいては、有色移動板３０ａが観察され、セル状領域１５ｂにおいては、背面側部分１２が観察される。
【００５９】
ここで、背面側部分１２は透明なので、背面側部分１２の背面側（図中矢印Ｃ２で示す）に白色の照明光Ｌｖを照射する照明装置５１を配置することにより、セル状領域１５ａにおいては、有色移動板３０ａの光反射面が視認され、セル状領域１５ｂにおいては、透明な背面側部分１２を通して照明光Ｌｖの白色が視認される。セル状領域１５ａにおける有色移動板３０ａの光反射面は、表示側から照射される光（例えば自然光）が照明光Ｌｖより弱い、あるいはほとんどない場合には、照明光Ｌｖの白色よりも暗く見える。したがって、有色移動板３０の主面の両面が光反射面であっても、いわゆる黒表示と白表示との間でコントラストを得ることができ、表示装置として機能する。
【００６０】
このとき、図２中のセル状領域１５ｂのように、有色移動板３０ｂを表示方向と平行となる第２の位置にして、いわゆる白表示を行う場合に、上記光が有色移動板３０ｂの光反射面としての金属コーティングｒによって反射され、表示方向と非平行な方向への光量が増加する。
【００６１】
上記のように、表示装置１０２によれば、いわゆる白表示を行う場合に、表示方向と非平行な方向への光量が増加するので、第１の実施形態における表示装置１０１と同様に、視野角が改善され、斜め方向から観察したときの視認性を向上させることができる。
【００６２】
図４に本発明の第２の表示装置の一実施形態（第３の実施形態）による表示装置１０３を示す。なお、上記図１中の要素と同様の要素には同じ番号を付し、それらの説明は省略する。
【００６３】
図４に示す本発明の第２の表示装置の他の一実施形態（第３の実施形態）による表示装置１０３では、有色移動板３０をセル状領域１５内において、有色移動板３０の回転軸がセル状領域１５の端部かつ背面側に位置するように回転可能に支持するとともに、有色移動板３０の主面のうち、有色移動板３０が第１の位置にあるときに背面側にある片面に、金属コーティングｒが施されており、その面が光反射面となっている。
【００６４】
有色移動板３０は、前述の通り、透明液体２０Ｍと有色移動板３０とを含む系における静電エネルギーが最小となる、最も安定した姿勢をとろうとして、その主面を電界の方向と平行な方向に向けようとする。したがって、第１の電界形成手段により第１の電界が形成された状態において、表示側電極４０１と背面電極４０２との間に交流電圧が印加されず、第２の電界が形成されていないときには、有色移動板３０は、第１の電界からの作用により第１の位置に位置し、表示側電極４０１と背面電極４０２との間に交流電圧が印加され、第２の電界が形成されたときには、有色移動板３０は、第１の電界と第２の電界との合成電界からの作用により、主面が当該合成電界の方向と同じ方向となるような位置に位置する。そして、表示側電極４０１と背面電極との間に印加される交流電圧が所定値を超え、第２の電界により作用する力が第１の電界により作用する力を大きく上回り、第１の電界により作用する力が無視できる程度になると、有色移動板３０は、第２の位置に位置することになる。
【００６５】
例えば、セル状領域１５ａ中の有色移動板３０ａの場合、第１の電界が形成された状態において、表示側電極４０１ａと背面電極４０２ａとの間には電圧が印加されておらず（Ｖａ＝０Ｖ）、第１の位置に位置している。ただし、有色移動板３０ａの回転軸が、側方部分１３と背面側部分１２との境界線近傍に位置しているため、有色移動板３０ａは背面側部分１２と重なるような位置にある。また、セル状領域１５ｂ中の有色移動板３０ｂの場合、第１の電界が形成された状態において、表示側電極４０１ｂと背面電極４０２ｂとの間に所定値を超えた交流電圧Ｖｂが印加されて交流電界Ｅｂが形成され、第２の電界により有色移動板３０ｂに作用する力が、第１の電界により有色移動板３０ｂに作用する力を大きく上回り、第１の電界により作用する力が無視できる程度になり、第２の位置に位置する。ただし、回転軸が側方部分１３の近傍に位置しているため、有色移動板３０ｂは側方部分１３と重なるような位置に移動する。
【００６６】
したがって、本表示装置１０３の表示方向における表示側からの観察によれば、セル状領域１５ａにおいては、有色移動板３０ａが観察され、セル状領域１５ｂにおいては、背面側部分１２が観察される。
【００６７】
ここで、背面側部分１２の背面側（図中矢印Ｃ２で示す）に白色の照明光Ｌｖを照射する照明装置５１を配置することにより、セル状領域１５ａにおいては、有色移動板３０ａの黒色が視認され、セル状領域１５ｂにおいては、透明な背面側部分１２を通して照明光Ｌｖの白色が視認される。
【００６８】
このとき、図４中のセル状領域１５ｂのように、有色移動板３０ｂを表示方向と平行となる第２の位置にして、いわゆる白表示を行う場合に、上記光が有色移動板３０ｂの光反射面としての金属コーティングｒによって反射され、表示方向と非平行な方向への光量が増加する。
【００６９】
上記のように、表示装置１０３によれば、いわゆる白表示を行う場合に、表示方向と非平行な方向への光量が増加するので、第１および第２の実施形態における表示装置１０１、１０２と同様に、視野角が改善され、斜め方向から観察したときの視認性を向上させることができる。
【００７０】
なお、上記照明装置５１の代わりに白色拡散板（反射板）を設置し、光反射型の表示装置とした場合においても、同様の効果が得られる。
【００７１】
また、上記の各実施形態において、有色移動板に作用させる電界として交流電界を用いているが、直流電界を用いてもよい。
【００７２】
なお、１つの画素を１つのセル状領域で担うように表示させてもよいし、１つの画素を複数のセル状領域（例えば、最近傍である４つのセル状領域）で担うように表示させてもよい。
【図面の簡単な説明】
【００７３】
【図１】本発明の第１の実施形態による表示装置の概略構成を示す斜視図
【図２】本発明の第１の実施形態による表示装置の概略構成を示す側面図
【図３】本発明の第２の実施形態による表示装置の概略構成を示す図
【図４】本発明の第３の実施形態による表示装置の概略構成を示す図
【図５】観察する角度によって白表示が黒表示と認識される原理を示す図
【図６】セル状領域に入射する光が区画壁や有色移動板により吸収される状態を示す図
【符号の説明】
【００７４】
１０  区画壁
１１  表示側部分
１２  背面側部分
１３  側方部分
１５  セル状領域
２０  透明液体
３０  有色移動板
３１  ヒンジ部
４１  電界形成手段
５１  照明装置
１０１〜１０３  表示装置
４０１  表示側電極
４０２  背面電極
【図１】
2005173140.tif 000003
【図２】
2005173140.tif 000004
【図３】
2005173140.tif 000005
【図４】
2005173140.tif 000006
【図５】
2005173140.tif 000007
【図６】
2005173140.tif 000008